(57)【要約】【課題】紙幣の移送に利用する紙幣収納庫に収納される紙幣を厳正かつ容易に管理する。【解決手段】紙幣収納庫を利用して紙幣を移送する紙幣処理システムを、紙幣収納部及び収納庫内記憶部を備える紙幣収納庫と、装置内記憶部及び紙幣識別部を備える紙幣処理装置とによって構成して、紙幣の移送元となる紙幣処理装置で、収納庫内記憶部の偽券データベースのバージョンと、装置内記憶部の偽券データベースのバージョンとが異なる場合には、古いバージョンの偽券データベースを新しいバージョンの偽券データベースに更新した後、紙幣識別部により紙幣を識別して、偽券ではないと判定した紙幣を紙幣収納庫に収納すると共に、収納した紙幣の識別番号を紙幣収納庫の収納庫内記憶部に保存する。【選択図】  図１
2016151845.tif 000002
【特許請求の範囲】
【請求項１】
各紙幣を識別するための識別情報が付された紙幣を収納する紙幣収納庫であって、
紙幣処理装置が識別情報を取得した紙幣を収納する紙幣収納部と、
前記紙幣収納部に収納される紙幣の識別情報を前記紙幣処理装置から取得して保存する記憶部と
を備えることを特徴とする紙幣収納庫。
【請求項２】
前記記憶部には、前記紙幣処理装置が前記紙幣収納部に収納されている紙幣を処理した際に偽券の検出に利用した偽券データベースのバージョンを示す情報が保存されていることを特徴とする請求項１に記載の紙幣収納庫。
【請求項３】
前記紙幣処理装置と通信可能に接続された際に、前記記憶部に保存されている情報が示す偽券データベースのバージョンが、接続先の前記紙幣処理装置で利用されている偽券データベースのバージョンより古い場合には、これが報知されることを特徴とする請求項２に記載の紙幣収納庫。
【請求項４】
前記記憶部には、前記紙幣処理装置が前記紙幣収納部に収納されている紙幣を処理した際に偽券の検出に利用した偽券データベースと同じバージョンの偽券データベースが保存されていることを特徴とする請求項１〜３のいずれか１項に記載の紙幣収納庫。
【請求項５】
前記紙幣処理装置と通信可能に接続された際に、前記記憶部に保存されている偽券データベースのバージョンと、接続先の前記紙幣処理装置で利用されている偽券データベースのバージョンとが異なっている場合には、古いバージョンの偽券データベースが新しいバージョンの偽券データベースに更新されることを特徴とする請求項４に記載の紙幣収納庫。
【請求項６】
前記紙幣収納部には、前記偽券データベースに基づいて偽券ではないと判定された紙幣のみが収納されることを特徴とする請求項４に記載の紙幣収納庫。
【請求項７】
前記紙幣処理装置と通信可能に接続された際に、接続先の前記紙幣処理装置の稼働状況に関するログデータベースが前記記憶部に保存されることを特徴とする請求項４に記載の紙幣収納庫。
【請求項８】
前記識別情報は、前記紙幣処理装置で紙幣を識別する際に各紙幣から読み取られた情報であることを特徴とする請求項１〜７のいずれか１項に記載の紙幣収納庫。
【請求項９】
前記識別情報は、各紙幣に印刷されている記番号であることを特徴とする請求項１〜８のいずれか１項に記載の紙幣収納庫。
【請求項１０】
前記記憶部には、前記紙幣処理装置で行われた各取引を特定するための取引情報と、各取引で前記紙幣収納部に収納された全ての紙幣の識別情報とが関連付けて保存されていることを特徴とする請求項１〜９のいずれか１項に記載の紙幣収納庫。
【請求項１１】
前記紙幣処理装置に着脱可能に構成されたカセット式の紙幣収納カセットであることを特徴とする請求項１〜１０のいずれか１項に記載の紙幣収納庫。
【請求項１２】
前記紙幣処理装置から受けた紙幣をテープと共に巻き取りながら収納するテープ式の紙幣収納カセットであることを特徴とする請求項１１に記載の紙幣収納庫。
【請求項１３】
前記紙幣処理装置に着脱可能に構成され、前記紙幣収納部が袋状の収納部であることを特徴とする請求項１〜１０のいずれか１項に記載の紙幣収納庫。
【請求項１４】
各紙幣を識別するための識別情報が付された紙幣を収納する紙幣収納庫であって、
紙幣処理装置で識別された紙幣を収納する紙幣収納部と、
偽券の識別情報が登録された偽券データベース及び該偽券データベースのバージョン情報が保存された記憶部と
を備えることを特徴とする紙幣収納庫。
【請求項１５】
前記紙幣処理装置と通信可能に接続された際に、前記記憶部に保存されている偽券データベースのバージョンと、接続先の前記紙幣処理装置で利用されている偽券データベースのバージョンとが異なっている場合には、古いバージョンの偽券データベースが新しいバージョンの偽券データベースに更新されることを特徴とする請求項１４に記載の紙幣収納庫。
【請求項１６】
前記紙幣処理装置と通信可能に接続された際に、接続先の前記紙幣処理装置の稼働状況に関するログデータベースが前記記憶部に保存されることを特徴とする請求項１４又は１５に記載の紙幣収納庫。
【請求項１７】
紙幣収納庫を利用して紙幣を移送可能な紙幣処理システムであって、
紙幣を収納する紙幣収納部、及び偽券の識別情報が登録された偽券データベースが保存された収納庫内記憶部を有する紙幣収納庫と、
偽券の識別情報が登録された偽券データベースが保存された装置内記憶部、及び紙幣を識別して識別情報を取得すると共に、前記装置内記憶部に保存されている偽券データベースを利用して紙幣が偽券であるか否かを判定する紙幣識別部を有する紙幣処理装置と
を含み、
前記収納庫内記憶部の偽券データベースのバージョンと、前記装置内記憶部の偽券データベースのバージョンとが異なる場合には、古いバージョンの偽券データベースが新しいバージョンの偽券データベースに更新される
ことを特徴とする紙幣処理システム。
【請求項１８】
紙幣の移送元となる前記紙幣処理装置では、
前記収納庫内記憶部の偽券データベースのバージョンと、前記装置内記憶部の偽券データベースのバージョンとが異なる場合には、古いバージョンの偽券データベースが新しいバージョンの偽券データベースに更新された後、
前記紙幣識別部により紙幣を識別して、偽券ではないと判定した紙幣を前記紙幣収納部に収納すると共に、収納した紙幣の識別番号を前記収納庫内記憶部に保存する
ことを特徴とする請求項１７に記載の紙幣処理システム。
【請求項１９】
紙幣の移送先となる前記紙幣処理装置は、
前記収納庫内記憶部の偽券データベースのバージョンが、前記装置内記憶部の偽券データベースのバージョンより古い場合には、
前記紙幣収納庫に収納されている紙幣の中に偽券が含まれている可能性があると判定する
ことを特徴とする請求項１７又は１８に記載の紙幣処理システム。
【請求項２０】
紙幣の移送先となる前記紙幣処理装置は、
前記収納庫内記憶部の偽券データベースのバージョンが、前記装置内記憶部の偽券データベースのバージョンより古い場合には、
前記収納庫内記憶部に保存されている識別番号と、前記装置内記憶部の偽券データベースに登録されている識別番号とを比較して、
前記紙幣収納庫に収納されている紙幣の中に偽券が含まれているか否かを判定する
ことを特徴とする請求項１７又は１８に記載の紙幣処理システム。
【発明の詳細な説明】
【技術分野】
【０００１】
この発明は、複数の紙幣処理装置の間で紙幣の移送に利用する紙幣収納庫、並びに該紙幣収納庫及び紙幣処理装置を含む紙幣処理システムに関する。
【背景技術】
【０００２】
従来、紙幣処理装置内に収納されている紙幣を移送するために紙幣収納庫が利用されている。例えば、特許文献１には、ＡＴＭ（現金自動預払機）から回収した紙幣を収納して運ぶ紙幣収納庫が開示されている。この紙幣収納庫は記憶部を有しており、記憶部には、紙幣収納庫内に収納されている紙幣の金種や枚数等の情報を含む管理テーブルが保存されている。
【０００３】
紙幣の移送元となる紙幣処理装置に紙幣収納庫を装着して、紙幣収納庫内に紙幣を回収する際には、回収対象とする紙幣を紙幣収納庫に収納しながら、この紙幣に関する情報を管理テーブルに登録する。紙幣収納庫を移送元の紙幣処理装置から取り外して移送先の紙幣処理装置へ移送した後、紙幣収納庫の記憶部に保存されている管理テーブルを参照することにより、紙幣収納庫内に収納されている紙幣を移送先の紙幣処理装置で再度識別計数することなく、紙幣収納庫内に収納されている紙幣の金種や枚数等の情報を取得することができる。
【先行技術文献】
【特許文献】
【０００４】
【特許文献１】国際公開第２００８／１４９４３３号
【発明の概要】
【発明が解決しようとする課題】
【０００５】
しかしながら、上記従来技術によれば、紙幣収納庫内に収納される紙幣を厳正に管理できない場合があった。紙幣収納庫は、例えば、紙幣処理装置から回収した紙幣や紙幣処理装置へ補充する紙幣を運ぶために利用されるが、このような紙幣の移送は、紙幣が真の紙幣（真券）であることを前提に行われる。具体的には、紙幣処理装置で処理する際に、偽の紙幣（偽券）であると判定された紙幣は、装置内の専用の収納部へ収納したり、これを持ち込んだ顧客に返却したりするなどして取り除き、紙幣収納庫には真券のみを収納するようにしているが、紙幣収納庫内に偽券が混入してしまうことがあった。
【０００６】
紙幣処理装置では、磁気的特徴、光学的特徴等、様々な特徴を検出して偽券を検出する他、偽券の記番号が登録された偽券データベースを利用して偽券を検出することも可能となっている。具体的には、紙幣処理装置内で読み取った紙幣の記番号が、偽券データベースに登録されている記番号と一致した場合には、この紙幣を偽券と判定する。ところが、偽券データベースに登録されている偽券の記番号情報が古く、新たに発見された偽券の記番号が登録されていないと、この記番号を有する偽券を検出できず紙幣収納庫に収納されてしまう可能性がある。
【０００７】
また、紙幣処理装置によって紙幣収納庫に収納される紙幣を厳正に管理するためには、紙幣処理装置の保守点検を行う必要がある。このため、紙幣収納庫が装着される移送元及び移送先の紙幣処理装置で保守点検を行う必要がある場合には、これを容易かつ早期に認識できることが望ましい。
【０００８】
本発明は、上記従来技術の課題を解消するためになされたもので、紙幣収納庫に収納される紙幣を厳正かつ容易に管理することができる紙幣収納庫、並びに該紙幣収納庫及び紙幣処理装置を含む紙幣処理システムを提供することを目的とする。
【課題を解決するための手段】
【０００９】
上述した課題を解決し、目的を達成するため、本発明は、各紙幣を識別するための識別情報が付された紙幣を収納する紙幣収納庫であって、紙幣処理装置が識別情報を取得した紙幣を収納する紙幣収納部と、前記紙幣収納部に収納される紙幣の識別情報を前記紙幣処理装置から取得して保存する記憶部とを備えることを特徴とする。
【００１０】
また、本発明は、上記発明において、前記記憶部には、前記紙幣処理装置が前記紙幣収納部に収納されている紙幣を処理した際に偽券の検出に利用した偽券データベースのバージョンを示す情報が保存されていることを特徴とする。
【００１１】
また、本発明は、上記発明において、前記紙幣処理装置と通信可能に接続された際に、前記記憶部に保存されている情報が示す偽券データベースのバージョンが、接続先の前記紙幣処理装置で利用されている偽券データベースのバージョンより古い場合には、これが報知されることを特徴とする。
【００１２】
また、本発明は、上記発明において、前記記憶部には、前記紙幣処理装置が前記紙幣収納部に収納されている紙幣を処理した際に偽券の検出に利用した偽券データベースと同じバージョンの偽券データベースが保存されていることを特徴とする。
【００１３】
また、本発明は、上記発明において、前記紙幣処理装置と通信可能に接続された際に、前記記憶部に保存されている偽券データベースのバージョンと、接続先の前記紙幣処理装置で利用されている偽券データベースのバージョンとが異なっている場合には、古いバージョンの偽券データベースが新しいバージョンの偽券データベースに更新されることを特徴とする。
【００１４】
また、本発明は、上記発明において、前記紙幣収納部には、前記偽券データベースに基づいて偽券ではないと判定された紙幣のみが収納されることを特徴とする。
【００１５】
また、本発明は、上記発明において、前記紙幣処理装置と通信可能に接続された際に、接続先の前記紙幣処理装置の稼働状況に関するログデータベースが前記記憶部に保存されることを特徴とする。
【００１６】
また、本発明は、上記発明において、前記識別情報は、前記紙幣処理装置で紙幣を識別する際に各紙幣から読み取られた情報であることを特徴とする。
【００１７】
また、本発明は、上記発明において、前記識別情報は、各紙幣に印刷されている記番号であることを特徴とする。
【００１８】
また、本発明は、上記発明において、前記記憶部には、前記紙幣処理装置で行われた各取引を特定するための取引情報と、各取引で前記紙幣収納部に収納された全ての紙幣の識別情報とが関連付けて保存されていることを特徴とする。
【００１９】
また、本発明は、上記発明において、前記紙幣処理装置に着脱可能に構成されたカセット式の紙幣収納カセットであることを特徴とする。
【００２０】
また、本発明は、上記発明において、前記紙幣処理装置から受けた紙幣をテープと共に巻き取りながら収納するテープ式の紙幣収納カセットであることを特徴とする。
【００２１】
また、本発明は、上記発明において、前記紙幣処理装置に着脱可能に構成され、前記紙幣収納部が袋状の収納部であることを特徴とする。
【００２２】
また、本発明は、各紙幣を識別するための識別情報が付された紙幣を収納する紙幣収納庫であって、紙幣処理装置で識別された紙幣を収納する紙幣収納部と、偽券の識別情報が登録された偽券データベース及び該偽券データベースのバージョン情報が保存された記憶部とを備えることを特徴とする。
【００２３】
また、本発明は、上記発明において、前記紙幣処理装置と通信可能に接続された際に、前記記憶部に保存されている偽券データベースのバージョンと、接続先の前記紙幣処理装置で利用されている偽券データベースのバージョンとが異なっている場合には、古いバージョンの偽券データベースが新しいバージョンの偽券データベースに更新されることを特徴とする。
【００２４】
また、本発明は、上記発明において、前記紙幣処理装置と通信可能に接続された際に、接続先の前記紙幣処理装置の稼働状況に関するログデータベースが前記記憶部に保存されることを特徴とする。
【００２５】
また、本発明は、紙幣収納庫を利用して紙幣を移送可能な紙幣処理システムであって、紙幣を収納する紙幣収納部、及び偽券の識別情報が登録された偽券データベースが保存された収納庫内記憶部を有する紙幣収納庫と、偽券の識別情報が登録された偽券データベースが保存された装置内記憶部、及び紙幣を識別して識別情報を取得すると共に、前記装置内記憶部に保存されている偽券データベースを利用して紙幣が偽券であるか否かを判定する紙幣識別部を有する紙幣処理装置とを含み、前記収納庫内記憶部の偽券データベースのバージョンと、前記装置内記憶部の偽券データベースのバージョンとが異なる場合には、古いバージョンの偽券データベースが新しいバージョンの偽券データベースに更新されることを特徴とする。
【００２６】
また、本発明は、上記発明において、紙幣の移送元となる前記紙幣処理装置では、前記収納庫内記憶部の偽券データベースのバージョンと、前記装置内記憶部の偽券データベースのバージョンとが異なる場合には、古いバージョンの偽券データベースが新しいバージョンの偽券データベースに更新された後、前記紙幣識別部により紙幣を識別して、偽券ではないと判定した紙幣を前記紙幣収納部に収納すると共に、収納した紙幣の識別番号を前記収納庫内記憶部に保存することを特徴とする。
【００２７】
また、本発明は、上記発明において、紙幣の移送先となる前記紙幣処理装置は、前記収納庫内記憶部の偽券データベースのバージョンが、前記装置内記憶部の偽券データベースのバージョンより古い場合には、前記紙幣収納庫に収納されている紙幣の中に偽券が含まれている可能性があると判定することを特徴とする。
【００２８】
また、本発明は、上記発明において、紙幣の移送先となる前記紙幣処理装置は、前記収納庫内記憶部の偽券データベースのバージョンが、前記装置内記憶部の偽券データベースのバージョンより古い場合には、前記収納庫内記憶部に保存されている識別番号と、前記装置内記憶部の偽券データベースに登録されている識別番号とを比較して、前記紙幣収納庫に収納されている紙幣の中に偽券が含まれているか否かを判定することを特徴とする。
【発明の効果】
【００２９】
本発明によれば、複数の紙幣処理装置の間で紙幣の移送に利用する紙幣収納庫が収納庫内記憶部を有し、この収納庫内記憶部内に、移送元の紙幣処理装置で紙幣収納庫に収納されている紙幣を処理した際に、偽券検出に利用した偽券データベースのバージョンを示す情報が保存されている。移送先の紙幣処理装置では、収納庫内記憶部を参照して偽券データベースのバージョンを確認することにより、偽券データベースのバージョンが古く紙幣収納庫内に偽券が含まれている可能性があれば、これを認識することができるので、紙幣収納庫を利用して移送される紙幣を厳正かつ容易に管理することができる。
【００３０】
また、本発明によれば、紙幣収納庫の収納庫内記憶部に、紙幣収納庫に収納されている全ての紙幣について、紙幣の識別情報である記番号を保存することができる。移送先の紙幣処理装置で、移送元の紙幣処理装置で利用された偽券データベースのバージョンが古いことが判明した場合でも、紙幣収納庫内に収納されている紙幣の記番号を再取得することなく、収納庫内記憶部に保存されている記番号に基づいて、紙幣収納庫内の偽券の有無を判定することができる。
【００３１】
また、本発明によれば、紙幣処理装置と紙幣収納庫との間で偽券データベースのバージョンを比較して、古い偽券データベースを新しい偽券データベースに更新することができるので、例えば、ネットワークに接続されていない紙幣処理装置であっても容易に偽券データベースを更新することができる。
【００３２】
また、本発明によれば、紙幣処理装置内で記録されている紙幣の処理枚数やエラーの発生状況等を含むログデータベースを、収納庫内記憶部に収集することができるので、例えば、紙幣収納庫を管理装置に接続して各紙幣処理装置から収集したログデータベースを確認することにより、各紙幣処理装置の保守点検に係る作業の要否を判定して適切な対応を取ることができる。
【図面の簡単な説明】
【００３３】
【図１】図１は、紙幣処理装置及び紙幣収納庫の構成概略と、紙幣収納庫を利用して行われる処理概要とを説明するための模式図である。
【図２】図２は、装置内記憶部に保存されている装置内データベース及び装置内データベースバージョン情報の例を示す図である。
【図３】図３は、収納庫内記憶部に保存されている収納庫内データベース及び収納庫内データベースバージョン情報の例を示す図である。
【図４】図４は、２つの紙幣処理装置の間で紙幣収納庫を利用する紙幣処理システムの例を示す模式図である。
【図５】図５は、管理装置の構成概略を説明するための図である。
【図６】図６は、管理装置内記憶部に保存されている管理装置内データベース及び管理装置内データベースバージョン情報の例を示す図である。
【図７】図７は、紙幣処理装置の他の構成例を示す図である。
【図８】図８は、移送元となる紙幣処理装置で行われる処理内容を示すフローチャートである。
【図９】図９は、移送先となる紙幣処理装置で行われる処理内容を示すフローチャートである。
【発明を実施するための形態】
【００３４】
以下に、添付図面を参照して、本発明に係る紙幣収納庫及び紙幣処理システムについて詳細に説明する。まず、本発明に係る紙幣処理システムを形成する紙幣収納庫及び紙幣処理装置について説明する。
【００３５】
図１は、紙幣処理装置１０及び紙幣収納庫６０の構成概略と、紙幣収納庫６０を利用して行われる処理概要とを説明するための模式図である。紙幣処理装置１０は、操作表示部２０と、装置内記憶部３０と、紙幣処理部４０と、装置内制御部５０とを有する。紙幣処理装置１０に着脱可能に構成された紙幣収納庫６０は、紙幣処理装置１０に装着することにより、紙幣処理装置１０の紙幣収納部として利用できるようになっている。
【００３６】
例えば、紙幣処理装置１０の筐体に扉が設けられており、この扉を開いて装置外へ引き出したフレームに対して紙幣収納庫６０を着脱できるようになっており、紙幣収納庫６０を装着したフレームを筐体内に戻すことにより、紙幣処理部４０で処理された紙幣を紙幣収納庫６０内に収納することができる。
【００３７】
なお、図１では、本実施形態での説明に必要な構成のみを示している。例えば、紙幣処理装置１０は、入金口、出金口、紙幣搬送部等を有し、この他にも、一時保留部を備える場合や、着脱可能な紙幣収納庫６０に加えて装置内に固定された複数の紙幣収納部を有する場合もあるが、これら紙幣処理装置１０の構成、機能及び動作については、従来技術として知られている。また、紙幣処理装置１０で行われる入金処理や出金処理等の紙幣処理についても、従来技術として知られている。よって、これらについての詳細な説明は省略する。
【００３８】
操作表示部２０は、例えばタッチパネル式の液晶表示装置から成り、各種情報の入力及び出力を行う機能を有する。紙幣処理装置１０で紙幣処理を行う際に、紙幣処理に必要な各種情報の入力、紙幣処理開始等の指示命令の入力、紙幣処理結果等の各種情報の表示等を、操作表示部２０を利用して行うことができる。なお、紙幣処理装置１０が操作端末と接続されている場合には、この操作端末を操作表示部２０として利用して、情報の入力及び出力表示を操作端末上で行う態様であってもよい。また、この場合は、紙幣処理装置１０が操作表示部２０を備えない態様であっても構わない。
【００３９】
装置内記憶部３０は、半導体メモリやハードディスク等から成る不揮発性の記憶装置である。装置内データベースバージョン情報３１及び装置内データベース３２が装置内記憶部３０で管理されている。
【００４０】
紙幣処理部４０は、紙幣識別部４１の他、図示しない入金口、出金口、紙幣搬送部、装置内紙幣収納部等を含み、紙幣の入金処理や出金処理を実行する機能を有する。例えば、紙幣処理装置１０で入金処理が行われる場合には、入金口に載置された複数の紙幣が１枚ずつ装置内に繰り出されて、紙幣搬送部によって搬送される。そして、紙幣搬送部によって搬送される紙幣の金種、正損、真偽等が、紙幣識別部４１によって識別される。識別された各紙幣は、識別結果に基づいて分類され、装置内の紙幣収納部又は紙幣収納庫６０に収納される。紙幣収納庫６０にどのような種類の紙幣を収納するかは予め設定されている。なお、紙幣収納庫６０は、入金処理時に入金口から装置内に取り込んだ紙幣のうち予め設定された所定の種類の紙幣を収納するために利用する他、例えば、紙幣処理装置１０から紙幣を回収する際に、装置内の他の紙幣収納部から、回収対象となる紙幣又は装置内の全ての紙幣を繰り出して収納するために利用することもできる。
【００４１】
紙幣収納庫６０は、収納庫内記憶部７０と、紙幣収納部８０と、収納庫内制御部９０とを有する。収納庫内記憶部７０は、半導体メモリやハードディスク等から成る不揮発性の記憶装置であり、収納庫内データベースバージョン情報７１及び収納庫内データベース７２が内部で管理されている。紙幣収納庫６０を紙幣処理装置１０に装着することにより、紙幣収納庫６０と紙幣処理装置１０との間が、有線又は無線でデータ通信可能に接続されるようになっている。
【００４２】
装置内制御部５０及び収納庫内制御部９０は、紙幣処理装置１０及び紙幣収納庫６０の各部を制御して、本実施形態で説明する各種の処理を実行する機能を有する。なお、紙幣処理装置１０に紙幣収納庫６０を装着した状態で行われる装置内記憶部３０及び収納庫内記憶部７０に関する処理については、装置内制御部５０及び収納庫内制御部９０のいずれか一方によって実行できるようになっている。すなわち、装置内データベースバージョン情報３１、装置内データベース３２、収納庫内データベースバージョン情報７１及び収納庫内データベース７２に関連する処理は、装置内制御部５０が実行する態様であってもよいし、紙幣処理装置１０に接続された紙幣収納庫６０内の収納庫内制御部９０が実行する態様であっても構わない。
【００４３】
紙幣収納部８０は、紙幣処理部４０で処理された紙幣を収納するために利用される。紙幣収納庫６０は、例えば、紙幣の収納及び繰り出しが可能な紙幣収納部８０を含むカセット式の紙幣収納カセットである。紙幣収納部８０への紙幣の収納方法については、紙幣を積み重ねるようにして集積する態様であってもよいし、テープと共に紙幣を巻き取って収納するテープ式の収納方式を採用する態様であってもよい。また、例えば、紙幣を収納する紙幣収納袋（パウチ）を紙幣収納部８０として利用する態様であってもよい。
【００４４】
次に、装置内記憶部３０及び収納庫内記憶部７０に保存されているデータの内容について説明する。図２は、装置内記憶部３０に保存されている装置内データベース３２及び装置内データベースバージョン情報３１の例を示す図である。装置内データベース３２には、例えば、偽券データベース３２ａ及びログデータベース３２ｂが含まれる。
【００４５】
図２（ａ）に示すように、偽券データベース３２ａには、偽券の記番号が登録されている。紙幣処理装置１０では、処理される紙幣の記番号が、紙幣識別部４１によって読み取られるようになっている。紙幣識別部４１によって読み取られた紙幣の記番号が、偽券データベース３２ａに登録されている記番号と一致する場合には、紙幣識別部４１は、この紙幣は偽券であると判定する。偽券と判定された紙幣は、例えば、偽券を持ち込んだ顧客に返却するために装置外へ排出したり、偽券を収納するよう設定された装置内の専用の収納部に収納したりするようになっている。
【００４６】
ログデータベース３２ｂには、装置関連データ、エラー関連データ、紙幣処理関連データ等が含まれる。装置関連データとは、紙幣収納庫６０を着脱するために紙幣処理装置１０の扉を開閉した日時や紙幣処理装置１０の稼働時間等を記録したデータである。エラー関連データとは、紙幣処理装置１０で発生したエラーの種類や回数等を記録したデータである。紙幣処理関連データとは、紙幣処理装置１０で処理された紙幣の合計枚数等を記録したデータである。
【００４７】
図２（ｂ）に示すように、装置内データベースバージョン情報３１では、偽券データベース３２ａのバージョンがバージョン情報３１ａとして管理され、ログデータベース３２ｂに含まれる各データのバージョンがバージョン情報３１ｂとして管理されている。装置内データベース３２でデータベース３２ａ、３２ｂが更新されると、装置内データベースバージョン情報３１で、対応するバージョン情報３１ａ、３１ｂが更新されるようになっている。
【００４８】
図３は、収納庫内記憶部７０に保存されている収納庫内データベース７２及び収納庫内データベースバージョン情報７１の例を示す図である。収納庫内データベース７２には、偽券データベース７２ａ、ログデータベース７２ｂ及び収納紙幣データベース７２ｃが含まれる。
【００４９】
図３（ａ）に示すように、偽券データベース７２ａには、偽券の記番号が登録されている。偽券データベース７２ａは、紙幣処理装置１０又は管理装置等によって更新されるが詳細は後述する。
【００５０】
収納紙幣データベース７２ｃには、紙幣収納庫６０の紙幣収納部８０に収納されている全ての紙幣に関する情報が登録されている。図３（ａ）に示すように、収納紙幣データベース７２ｃには、取引情報、紙幣情報、金種別紙幣情報及び合計金額が含まれている。紙幣処理装置１０で紙幣処理を行う際に、紙幣識別部４１によって取得されたデータが、収納紙幣データベース７２ｃに登録される。
【００５１】
取引情報は、取引場所、取引番号及び取引日時を含んでいる。取引場所は、紙幣収納部８０に紙幣を収納した紙幣処理装置１０及び該紙幣処理装置１０が設置されている場所を特定する情報等を含んでいる。取引番号は紙幣処理装置１０で行われた各取引を特定するための情報であり、取引日時は紙幣処理装置１０で各取引が行われた日時を特定する情報である。図３（ａ）に示す収納紙幣データベース７２ｃの例では、「Ａ銀行Ｂ支店」に設置されている装置識別番号「Ａ００１」の紙幣処理装置１０で、取引日時で示された日時に、取引番号「入金００１」の入金取引が行われたことを示している。なお、紙幣処理装置１０の装置識別番号は各装置を識別するための情報で、例えば、紙幣処理装置１０を特定することができるモデル名及び製造番号等から構成されている。
【００５２】
収納紙幣データベース７２ｃに含まれる紙幣情報には、各取引で紙幣収納部８０に収納された各紙幣の記番号、金種、正損等の情報が含まれている。金種別紙幣情報には、各取引で紙幣収納部８０に収納された紙幣の金種別の枚数、金額等の情報が含まれている。また、合計金額は、各取引で紙幣収納部８０に収納された紙幣の合計金額である。
【００５３】
紙幣収納庫６０が、複数の銀行や支店の間で利用されたり、複数の紙幣処理装置の間で利用されたりする場合でも、各装置及び各装置が設置されている場所を特定可能な情報が、収納紙幣データベース７２ｃに登録される。また、収納紙幣データベース７２ｃには、各取引が区別して登録され、取引毎に、紙幣収納部８０に収納された全ての紙幣の記番号、金種、正損等の情報を含む紙幣情報と、金種別紙幣情報と、合計金額とが登録される。これにより、収納紙幣データベース７２ｃを参照することにより、紙幣収納庫６０に収納されている各紙幣が、いつどこでどのように処理されたのかを追跡できるようになっている。
【００５４】
図３（ｂ）に示すように、収納庫内データベースバージョン情報７１には、収納庫内データベース７２に含まれる各データベース７２ａ〜７２ｃのバージョン情報７１ａ〜７１ｃが管理されている。具体的には、偽券データベース７２ａのバージョンがバージョン情報７１ａとして管理され、ログデータベース７２ｂについては、各装置のログデータベース７２ｂのバージョンが装置別にバージョン情報７１ｂ、７１ｃとして管理されている。収納庫内データベース７２でデータベース７２ａ〜７２ｃが更新されると、収納庫内データベースバージョン情報７１で、対応するバージョン情報７１ａ〜７１ｃが更新されるようになっている。
【００５５】
ログデータベース７２ｂは、紙幣収納庫６０が装着された紙幣処理装置１０から取得したログデータベース３２ｂを含んでいる。図４は、図１に示す紙幣処理装置１０と同じ構成を有する２つの紙幣処理装置１０ａ、１０ｂの間で、紙幣収納庫６０を利用して紙幣を移送する紙幣処理システムの例を示す模式図である。第１紙幣処理装置１０ａはＡ銀行Ｂ支店に設置された装置識別番号Ａ００１の第１紙幣処理装置１０ａで管理されていたログデータベース３２ｂを、図３（ａ）に示すように、収納庫内データベース７２に取り込むことができる。また、紙幣収納庫６０を第２紙幣処理装置１０ｂに装着した際には、装置識別番号Ｚ００１の第２紙幣処理装置１０ｂで管理されていたログデータベースを、収納庫内データベース７２に取り込むことができる。これらの処理の詳細については後述する。
【００５６】
次に、紙幣処理装置１０及び紙幣収納庫６０で行われる処理について説明する。なお、図１を参照しながら処理内容を説明するが、図４に示すように第１紙幣処理装置１０ａ及び第２紙幣処理装置１０ｂの間で紙幣を移送する場合も、それぞれの装置で同様の処理が行われる。また、偽券データベース３２ａ、７２ａに係る処理は、装置内制御部５０又は収納庫内制御部９０によって行うことができるが、以下では、装置内制御部５０が行う場合を例に説明する。
【００５７】
まず、偽券データベース３２ａ、７２ａの利用方法について説明する。紙幣処理装置１０に紙幣収納庫６０を装着すると、装置内制御部５０が、図１に示すように、装置内記憶部３０に保存されている装置内データベースバージョン情報３１と、収納庫内記憶部７０に保存されている収納庫内データベースバージョン情報７１とを参照して、データベースのバージョンを比較する（ステップＡ１）。
【００５８】
具体的には、装置内データベース３２に保存されている偽券データベース３２ａのバージョン情報を装置内データベースバージョン情報３１から取得して、収納庫内データベース７２に保存されている偽券データベース７２ａのバージョン情報を収納庫内データベースバージョン情報７１から取得して、両者を比較する。そして、バージョン情報に違いがあれば、操作表示部２０に情報を表示することによりこれを報知する（ステップＡ２）。続いて、装置内制御部５０は、古いバージョンの偽券データベースを、新しいバージョンの偽券データベースによって上書きして更新する（ステップＡ３）。このとき、装置内制御部５０は、装置内データベースバージョン情報３１又は収納庫内データベースバージョン情報７１で、更新した偽券データベースに対応するバージョン情報を更新する。
【００５９】
例えば、紙幣処理装置１０内で利用されている偽券データベース３２ａの方が紙幣収納庫６０内に保存されている偽券データベース７２ａよりも古い場合には、装置内制御部５０は、紙幣処理装置１０内の偽券データベース３２ａを紙幣収納庫６０内の偽券データベース７２ａによって上書きすることにより、紙幣処理装置１０内の偽券データベース３２ａを更新する。また、装置内制御部５０は、装置内データベースバージョン情報３１の偽券データベースのバージョン情報３１ａを更新する。
【００６０】
このように、紙幣処理装置１０内の偽券データベース３２ａが、紙幣収納庫６０内の偽券データベース７２ａより古い場合には、紙幣処理部４０による紙幣処理を開始する前に、装置内の偽券データベース３２ａが新しいバージョンに更新される。この結果、紙幣処理装置１０では、新しい偽券データベースを利用して偽券を検出できるようになる。
【００６１】
偽券データベース３２ａの更新を終えて、紙幣処理装置１０で紙幣処理部４０による紙幣処理（取引）が開始されると、装置内制御部５０は、図３（ａ）に示したように、収納庫内データベース７２の収納紙幣データベース７２ｃに取引情報を登録する（図１ステップＢ１）。紙幣処理部４０では、紙幣識別部４１が、処理対象となる各紙幣の記番号の読み取り及び金種や真偽等の識別を開始する。このとき、紙幣識別部４１は、紙幣収納庫６０の偽券データベース７２ａと同内容に更新された更新後の偽券データベース３２ａを利用して偽券を検出する。
【００６２】
紙幣識別部４１によって偽券ではないと判定された紙幣のうち紙幣収納庫６０に収納するよう設定されている種類の紙幣については、装置内制御部５０が、図３（ａ）に示したように、紙幣識別部４１によって得られた紙幣の記番号、金種、正損等の情報を、収納庫内データベース７２の収納紙幣データベース７２ｃに登録する（図１ステップＢ１）。収納紙幣データベース７２ｃにデータが登録された紙幣は、紙幣収納庫６０の紙幣収納部８０に収納される（ステップＢ２）。
【００６３】
一方、紙幣処理装置１０内で利用されている偽券データベース３２ａの方が紙幣収納庫６０内の偽券データベース７２ａよりも新しい場合には、装置内制御部５０は、紙幣収納庫６０内の偽券データベース７２ａを紙幣処理装置１０内の偽券データベース３２ａによって上書きすることにより、紙幣収納庫６０内の偽券データベース７２ａを更新する。また、装置内制御部５０は、収納庫内データベースバージョン情報７１の偽券データベースのバージョン情報７１ａを更新する。
【００６４】
この場合は、紙幣処理装置１０で利用される偽券データベース３２ａに変化はないが、紙幣収納庫６０内の偽券データベース７２ａを新しいバージョンに更新することができる。この結果、紙幣収納庫６０を装着して利用する複数の紙幣処理装置１０の中に、紙幣収納庫６０内の偽券データベース７２ａよりも古い偽券データベース３２ａを利用しているものがあれば、この偽券データベース３２ａを紙幣収納庫６０内の偽券データベース７２ａによって上書きして更新することができる。
【００６５】
紙幣収納庫６０を装着して利用する複数の紙幣処理装置１０がネットワーク等に接続されておらず、偽券データベース３２ａを容易に更新できない状況にある場合でも、紙幣収納庫６０を複数の紙幣処理装置１０の間で利用することにより、紙幣収納庫６０内の偽券データベース７２ａによって、各装置内の偽券データベース３２ａを更新することができる。また、偽券データベース３２ａ、７２ａのバージョン比較や更新処理は、装置内制御部５０又は収納庫内制御部９０によって行うことができるので、例えば、古い紙幣処理装置で、装置内制御部５０が偽券データベース３２ａの更新処理を行う機能を有していない場合でも、収納庫内制御部９０によって、上述した処理を実現することができる。
【００６６】
なお、紙幣収納庫６０に紙幣を収納している状態で、紙幣収納庫６０内の偽券データベース７２ａが、紙幣処理装置１０内の偽券データベース３２ａより古いことが判明した場合には、操作表示部２０によって、紙幣収納庫６０内に収納されている紙幣の中に偽券が含まれている可能性があることが報知される。そして、紙幣収納庫６０に収納されている紙幣の中に偽券が含まれているか否かを確認したり、偽券が含まれている場合にはこれを紙幣収納庫６０から排出したりする処理を行うが詳細は後述する。
【００６７】
次に、ログデータベース３２ｂ、７２ｂの利用方法について説明する。なお、図１を参照しながら処理内容を説明するが、図４に示すように第１紙幣処理装置１０ａ及び第２紙幣処理装置１０ｂの間で紙幣を移送する場合も、それぞれの装置で同様の処理が行われる。また、ログデータベース３２ｂ、７２ｂに係る処理は、装置内制御部５０又は収納庫内制御部９０によって行うことができるが、以下では、装置内制御部５０が行う場合を例に説明する。
【００６８】
紙幣処理装置１０に紙幣収納庫６０を装着すると、装置内制御部５０が、図１に示すように、装置内記憶部３０に保存されている装置内データベースバージョン情報３１と、収納庫内記憶部７０に保存されている収納庫内データベースバージョン情報７１とを参照して、データベースのバージョンを比較する（図１ステップＡ１）。
【００６９】
具体的には、装置内データベース３２に保存されているログデータベース３２ｂのバージョン情報を装置内データベースバージョン情報３１から取得して、収納庫内データベース７２に保存されているログデータベース７２ｂのバージョン情報を収納庫内データベースバージョン情報７１から取得して、両者を比較する。そして、バージョン情報に違いがあれば、操作表示部２０に情報を表示することによりこれを報知する（ステップＡ２）。続いて、装置内制御部５０は、古いバージョンのログデータベースを、新しいバージョンのログデータベースによって上書きして更新する（ステップＡ３）。このとき、装置内制御部５０は、装置内データベースバージョン情報３１又は収納庫内データベースバージョン情報７１で、更新したログデータベースに対応するバージョン情報を更新する。
【００７０】
ただし、ログデータベース３２ｂについては、紙幣収納庫６０のログデータベース７２ｂが紙幣処理装置１０のログデータベース３２ｂによって上書きされるのみで、紙幣処理装置１０のログデータベース３２ｂが紙幣収納庫６０のログデータベース７２ｂによって上書きされることはない。具体的には、例えば、図４に示す装置識別番号「Ａ００１」の第１紙幣処理装置１０ａに関するログデータが第１紙幣処理装置１０ａ以外の装置によって書き換えられることはなく、同様に、装置識別番号「Ｚ００１」の第２紙幣処理装置１０ｂに関するログデータが第２紙幣処理装置１０ｂ以外の装置によって書き換えられることはない。よって、ログデータベースの更新は、紙幣処理装置１０のログデータベース３２ｂが、紙幣収納庫６０のログデータベース７２ｂより新しい場合にのみ、紙幣収納庫６０内のログデータベース７２ｂが、紙幣処理装置１０内のログデータベース３２ｂによって上書きされることによって行われることになる。
【００７１】
この結果、紙幣収納庫６０のログデータベース７２ｂには、紙幣収納庫６０を利用する各紙幣処理装置１０（１０ａ、１０ｂ）から、装置内で記録されているログデータベース３２ｂが収集されることになる。こうして収集された紙幣処理装置１０のログデータは、各紙幣処理装置１０の稼働状況を管理する管理装置によって利用される。
【００７２】
次に、管理装置について説明する。図５は、管理装置１１０の構成概略を説明するための図である。管理装置１１０は、タッチパネル式の液晶表示装置等から成る操作表示部１２０と、半導体メモリやハードディスク等の不揮発性の記憶装置から成る管理装置内記憶部１３０と、各部を制御して以下に説明する各処理を実現する管理装置内制御部１５０とを有している。
【００７３】
図６は、管理装置内記憶部１３０に保存されている管理装置内データベース１３２及び管理装置内データベースバージョン情報１３１の例を示す図である。管理装置内データベース１３２には、偽券データベース１３２ａ及びログデータベース１３２ｂが含まれる。
【００７４】
図６（ａ）に示すように、偽券データベース１３２ａは、偽券の記番号が登録されたデータベースである。また、ログデータベース１３２ｂは、紙幣収納庫６０から収集した、各紙幣処理装置１０（１０ａ、１０ｂ）のログデータベース３２ｂを含んでいる。図６（ｂ）に示すように、管理装置内データベースバージョン情報１３１には、管理装置内データベース１３２に含まれる各データベース１３２ａ、１３２ｂのバージョン情報１３１ａ〜１３１ｃが管理されている。管理装置内データベース１３２でデータベース１３２ａ、１３２ｂが更新されると、管理装置内データベースバージョン情報１３１で、対応するバージョン情報１３１ａ〜１３１ｃが更新されるようになっている。
【００７５】
図５に示すように、管理装置１１０と紙幣収納庫６０との間が有線又は無線で通信可能に接続されると、管理装置内制御部１５０は、管理装置内記憶部１３０に保存されている管理装置内データベースバージョン情報１３１と、収納庫内記憶部７０に保存されている収納庫内データベースバージョン情報７１とを参照して、データベースのバージョンを比較する。そして、紙幣収納庫６０内のログデータベース７２ｂの方が、管理装置１１０内のログデータベース１３２ｂよりも新しい場合には、管理装置１１０内のログデータベース１３２ｂを紙幣収納庫６０内のログデータベース７２ｂで上書きすることにより、管理装置１１０内のログデータベース１３２ｂを更新する。そして、管理装置１１０内の管理装置内データベースバージョン情報１３１のログデータベースバージョン情報１３１ｂを更新する。
【００７６】
こうして、紙幣収納庫６０内に保存されていた各紙幣処理装置１０（１０ａ、１０ｂ）のログデータベース７２ｂを取得すると、管理装置内制御部１５０は、ログデータベース７２ｂに含まれる装置関連データ、エラー関連データ及び紙幣処理関連データを確認して、紙幣処理装置１０の稼働状況、紙幣の処理枚数、エラーの発生状況等から、紙幣処理装置１０の保守や点検等の作業が必要であるか否かを判定する。そして、保守や点検等が必要である場合には、これを示す情報を操作表示部１２０に表示して報知する。
【００７７】
例えば、小売店や銀行支店等に設置された紙幣処理装置１０から、紙幣収納庫６０を利用して紙幣を回収する現金センターと呼ばれる拠点や銀行本店等に、管理装置１１０を設置して利用する。そして、紙幣を回収するために運び込まれた紙幣収納庫６０から管理装置１１０に、紙幣収納庫６０に収集された各紙幣処理装置１０のログデータベース７２ｂを取得する。これにより、小売店や銀行支店に設置されている紙幣処理装置１０の中に、保守や点検等の作業が必要なものが存在するか否かを、管理装置１１０で確認することができる。そして、確認結果に基づいて、例えば、保守や点検等が必要なことを小売店や銀行支店等に連絡したり、保守点検を担当する管理会社に連絡して保守点検を行う作業員を小売店や銀行支店に派遣したりすることができる。こうして紙幣処理装置１０の保守点検等を行うことにより装置の故障、休止、トラブル等を抑制し、紙幣処理を確実に行って紙幣を厳正に管理することが可能となる。
【００７８】
また、管理装置１１０では、管理装置内記憶部１３０の偽券データベース１３２ａが、常に最新のバージョンとなるように管理されている。図５に示すように、管理装置１１０と紙幣収納庫６０との間が有線又は無線で通信可能に接続されると、管理装置内制御部１５０は、管理装置内記憶部１３０に保存されている管理装置内データベースバージョン情報１３１と、収納庫内記憶部７０に保存されている収納庫内データベースバージョン情報７１とを参照して、偽券データベース７２ａ、１３２ａのバージョンを比較する。そして、管理装置１１０内の偽券データベース１３２ａの方が、紙幣収納庫６０内の偽券データベース７２ａよりも新しい場合には、紙幣収納庫６０内の偽券データベース７２ａを管理装置１１０内の偽券データベース１３２ａによって上書きすることにより、紙幣収納庫６０内の偽券データベース７２ａを更新する。また、管理装置内制御部１５０は、紙幣収納庫６０内の収納庫内データベースバージョン情報７１で、偽券データベースのバージョン情報７１ａを更新する。
【００７９】
このように、管理装置１１０によって、紙幣収納庫６０内の偽券データベース７２ａを最新バージョンに更新することにより、紙幣収納庫６０を装着して利用する紙幣処理装置１０の中に、古い偽券データベース３２ａを利用しているものがあれば、この偽券データベース３２ａを紙幣収納庫６０内の偽券データベース７２ａによって上書きして更新することができる。
【００８０】
なお、管理装置１１０については、例えば、コンピュータ装置を管理装置１１０として利用する態様の他、紙幣処理装置１０が管理装置１１０の機能を兼ねる態様であっても構わない。
【００８１】
ここまで紙幣処理装置１０に紙幣収納庫６０を装着して、紙幣処理部４０によって、紙幣収納庫６０の紙幣収納部８０に紙幣を収納する態様を示したが、本実施形態がこれに限定されるものではない。図７は、紙幣処理装置１０の他の構成例を示す図である。図７に示す紙幣処理装置１０ｃは、図１に示す紙幣処理装置１０から、紙幣収納庫６０を除いた構成を有している。例えば、紙幣処理装置１０ｃが、紙幣処理部４０で所定枚数の紙幣を結束して装置外に投出する装置である場合には、ＵＳＢケーブル等の専用ケーブル１００によって紙幣処理装置１０ｃと紙幣収納庫６０との間をデータ通信可能に接続して、紙幣収納庫６０を利用する。ただし、紙幣処理装置１０と紙幣収納庫６０との間を無線接続によって接続する態様であっても構わない。
【００８２】
この紙幣処理装置１０ｃを利用する際には、紙幣処理部４０で結束されて装置外へ投出された結束紙幣１０１を、紙幣収納庫６０の紙幣収納部８０内へ手作業で収納する。このとき、結束紙幣１０１に含まれる所定枚数の紙幣について、図３（ａ）に示した取引情報や紙幣情報等の情報が、紙幣収納庫６０内の収納庫内データベース７２に登録されるようになっている。これらの登録処理は、装置内制御部５０によって行われる態様であってもよいし、収納庫内制御部９０によって行われる態様であっても構わない。
【００８３】
このように、紙幣処理装置１０ｃと紙幣収納庫６０との間でデータ通信を行うことができれば、装置内制御部５０又は収納庫内制御部９０によって、図１〜図３を参照しながら説明したように、装置内データベース３２及び収納庫内データベース７２の更新等の処理を行うことができる。
【００８４】
次に、紙幣の移送元となる紙幣処理装置１０から紙幣の移送先となる紙幣処理装置１０へ、紙幣収納庫６０を利用して紙幣を移送する際の処理の流れについて、図８及び図９を参照しながら説明する。なお、説明を簡単にするため、偽券データベース３２ａ、７２ａを例に説明するが、ログデータベース３２ｂ、７２ｂについても同様の処理が行われる。また、偽券データベース３２ａ、７２ａ及びログデータベース３２ｂ、７２ｂに係る処理は、装置内制御部５０又は収納庫内制御部９０によって行うことができるが、以下では、装置内制御部５０が行う場合を例に説明する。
【００８５】
図８は、移送元となる紙幣処理装置１０で行われる処理内容を示すフローチャートである。図１に示すように紙幣の移送元となる紙幣処理装置１０に紙幣収納庫６０を装着するか、又は図７に示すように移送元となる紙幣処理装置１０と紙幣収納庫６０とを専用ケーブル１００によって接続した状態で、紙幣処理を開始する。
【００８６】
まず、装置内制御部５０が、紙幣処理装置１０内の偽券データベース３２ａと紙幣収納庫６０内の偽券データベース７２ａを比較する（図８ステップＳ１）。データベースのバージョンが同じである場合には（ステップＳ２；Ｎｏ）、紙幣処理装置１０による紙幣処理を開始する（ステップＳ７）。
【００８７】
一方、データベースのバージョンが異なる場合には（ステップＳ２；Ｙｅｓ）、装置内制御部５０は、操作表示部２０によってこれを報知して（ステップＳ３）、紙幣処理装置１０内の偽券データベース３２ａと紙幣収納庫６０内の偽券データベース７２ａのどちらが新しいかを確認する（ステップＳ４）。
【００８８】
紙幣収納庫６０内の偽券データベース７２ａの方が新しい場合には（ステップＳ４；Ｙｅｓ）、紙幣処理装置１０内の偽券データベース３２ａを、紙幣収納庫６０内の偽券データベース７２ａによって上書きして更新する（ステップＳ５）。一方、紙幣処理装置１０内の偽券データベース３２ａの方が新しい場合には（ステップＳ４；Ｎｏ）、紙幣収納庫６０内の偽券データベース７２ａを、紙幣処理装置１０内の偽券データベース３２ａによって上書きして更新する（ステップＳ６）。
【００８９】
データベースの更新処理を終えると、装置内制御部５０は、取引場所、取引番号及び取引日時を含む取引情報を、紙幣収納庫６０内の収納紙幣データベース７２ｃに登録する（ステップＳ７）。そして、紙幣処理部４０によって紙幣処理を開始して、紙幣識別部４１によって処理対象の紙幣を１枚ずつ順に識別する（ステップＳ８）。紙幣識別部４１によって、紙幣の記番号、金種、正損等の情報が得られると、装置内制御部５０が、これらの識別情報を、紙幣収納庫６０内の収納紙幣データベース７２ｃに登録する（ステップＳ９）。
【００９０】
紙幣識別部４１が読み取った紙幣の記番号が、紙幣処理装置１０内の偽券データベース３２ａに登録されている記番号と一致する場合には、この紙幣は偽券であると判定され、紙幣収納庫６０に収納されることなく、リジェクト紙幣として装置外へ排出されるか、又は紙幣処理装置１０内に設けられた専用の紙幣収納部へ収納される。偽券データベース３２ａに登録されている偽券の記番号とは異なる記番号を有する真券のうち、紙幣収納庫６０に収納するよう設定されている種類の紙幣のみが、紙幣収納庫６０の紙幣収納部８０に収納される（ステップＳ１０）。
【００９１】
処理対象とする紙幣が残っている間、各紙幣を識別して、移送対象となる紙幣の識別結果を収納紙幣データベース７２ｃに登録すると共に、この紙幣を紙幣収納庫６０に収納する処理が繰り返される（ステップＳ１１；Ｎｏ、ステップＳ８〜Ｓ１０）。そして、全ての紙幣の処理を終えると（ステップＳ１１；Ｙｅｓ）、処理を終了する。
【００９２】
この結果、移送元の紙幣処理装置１０で紙幣処理を終えたときには、この紙幣処理に関する取引情報や、紙幣収納庫６０に収納されている全紙幣の記番号等の情報が、紙幣収納庫６０内の収納紙幣データベース７２ｃに登録されている状態となる。また、この紙幣処理を実行した際に紙幣処理装置１０で偽券の検出に利用した偽券データベース３２ａと同じバージョンの偽券データベース７２ａが、紙幣収納庫６０内に保存されている状態となる。ログデータベースについても、同様に、この紙幣処理を実行した紙幣処理装置１０のログデータベース３２ｂと同じバージョンのログデータベース７２ｂが、紙幣収納庫６０内に保存されている状態となる。
【００９３】
こうして紙幣処理（取引）を実行して移送対象となる紙幣を紙幣収納庫６０に収納した後、紙幣収納庫６０を移送元の紙幣処理装置１０から取り外して、移送先の紙幣処理装置１０まで運搬する。そして、図１に示すように、紙幣の移送先となる紙幣処理装置１０に紙幣収納庫６０を装着するか、又は図７に示すように移送先となる紙幣処理装置１０と紙幣収納庫６０とを専用ケーブル１００によって接続した状態で処理を開始する。
【００９４】
図９は、移送先となる紙幣処理装置１０で行われる処理内容を示すフローチャートである。まず、装置内制御部５０が、紙幣処理装置１０内の偽券データベース３２ａと紙幣収納庫６０内の偽券データベース７２ａを比較する（ステップＳ２１）。データベースのバージョンが同じである場合には（ステップＳ２２；Ｎｏ）、紙幣収納庫６０内の紙幣を処理装置１０で利用するための処理を開始する（ステップＳ２６）。
【００９５】
一方、データベースのバージョンが異なる場合には（ステップＳ２２；Ｙｅｓ）、装置内制御部５０は、操作表示部２０によってこれを報知して（ステップＳ２３）、紙幣処理装置１０内の偽券データベース３２ａと紙幣収納庫６０内の偽券データベース７２ａのどちらが新しいかを確認する（ステップＳ２４）。
【００９６】
紙幣収納庫６０内の偽券データベース７２ａの方が新しい場合には（ステップＳ２４；Ｙｅｓ）、装置内制御部５０は、紙幣処理装置１０内の偽券データベース３２ａを、紙幣収納庫６０内の偽券データベース７２ａによって上書きして更新する（ステップＳ２５）。
【００９７】
この場合は、紙幣収納庫６０内の偽券データベース７２ａ、すなわち移送元の紙幣処理装置１０で偽券を検出するために利用された偽券データベース３２ａの方が、移送先の紙幣処理装置１０内の偽券データベース３２ａより新しいので、装置内制御部５０は、移送元の紙幣処理装置１０で行われた偽券の検出結果に問題はないと判定する。
【００９８】
このため、装置内制御部５０は、紙幣収納庫６０内の収納紙幣データベース７２ｃを参照して、紙幣収納庫６０に収納されている紙幣に関する情報を取得して（ステップＳ２６）、処理を終了する。そして、例えば、紙幣収納庫６０に収納されている紙幣を再度識別計数することなく、そのまま移送先の紙幣処理装置１０の紙幣として利用する。
【００９９】
一方、移送先の紙幣処理装置１０内の偽券データベース３２ａの方が新しい場合には（ステップＳ２４；Ｎｏ）、装置内制御部５０は、紙幣収納庫６０内の偽券データベース７２ａを、紙幣処理装置１０内の偽券データベース３２ａによって上書きして更新する（ステップＳ２７）。
【０１００】
そして、装置内制御部５０は、紙幣収納庫６０に収納されている紙幣の中に、偽券が含まれている可能性があることを、操作表示部２０によって報知する（ステップＳ２８）。具体的には、装置内制御部５０は、紙幣収納庫６０内の偽券データベース７２ａ、すなわち移送元の紙幣処理装置１０で紙幣収納庫６０に収納されている紙幣を処理した際に利用した偽券データベース３２ａが、移送先の紙幣処理装置１０内の偽券データベース３２ａより古かったために、移送元の紙幣処理装置１０で行われた偽券の検出結果に問題がある可能性があると判定する。言い換えれば、移送元の紙幣処理装置１０で偽券を取り除くために利用した偽券データベース３２ａのバージョンが古く、紙幣収納庫６０内に偽券が収納されている可能性があると判定する。そして、これを操作表示部２０によって報知した後、装置内制御部５０は、偽券検出処理を実行する（ステップＳ２９）。
【０１０１】
偽券検出処理では、装置内制御部５０が、移送先の紙幣処理装置１０内の偽券データベース３２ａに登録されている偽券の記番号と、紙幣収納庫６０内の収納紙幣データベース７２ｃに登録されている紙幣の記番号とを比較することにより、紙幣収納庫６０内に収納されている偽券を検出する。収納紙幣データベース７２ｃには、紙幣収納庫６０に収納されている全紙幣の記番号が登録されているので、これらの記番号と、新しい偽券データベース３２ａに登録されている偽券の記番号とを比較することにより、紙幣収納庫６０に収納されている紙幣の中に偽券が含まれていれば、これを検出することができる。
【０１０２】
そして、紙幣収納庫６０に収納されている紙幣の中に偽券が含まれていないことが確認できると（ステップＳ３０；Ｎｏ）、処理を終了する。一方、紙幣収納庫６０に収納されている紙幣の中に偽券が含まれていることが確認された場合には（ステップＳ３０；Ｙｅｓ）、操作表示部２０によってこれを報知すると共に、検出した偽券を排出する偽券排出処理を実行して（ステップＳ３１）、処理を終了する。
【０１０３】
偽券排出処理では、例えば、紙幣収納庫６０内に収納されている紙幣を１枚ずつ紙幣処理装置１０内に繰り出して、紙幣識別部４１によって記番号を読み取り、この記番号が偽券検出処理で検出された偽券の記番号でなければ、一時保留部や他の紙幣収納部等へ一時退避させる一方で、読み取った記番号が、偽券検出処理で検出された偽券の記番号であった場合には、この紙幣を装置外へ排出するか、又は紙幣処理装置１０内に設けられている専用の収納部へ収納する。こうして、偽券検出処理で検出された全ての偽券を、装置外へ排出するか又は専用の収納部へ収納した後、一時退避させていた紙幣を紙幣収納庫６０へ戻して収納することにより、紙幣収納庫６０から偽券を取り除くことができる。
【０１０４】
また、例えば、紙幣収納庫６０が紙幣を繰り出すことができない袋状の紙幣収納部８０から成る場合には、紙幣収納部８０から手作業で取り出した紙幣を順に紙幣処理装置１０の入金口に載置して、操作表示部２０を操作して偽券排出処理を実行する。この場合は、入金口に載置されている紙幣を１枚ずつ紙幣処理装置１０内に繰り出して、紙幣識別部４１によって記番号を読み取り、この記番号が偽券検出処理で検出された偽券の記番号でなければ、一時保留部や他の紙幣収納部等へ一時退避させる一方で、読み取った記番号が、偽券検出処理で検出された偽券の記番号であった場合には、この紙幣を装置外へ排出するか、又は紙幣処理装置１０内に設けられている専用の収納部へ収納する。こうして、偽券検出処理で検出された全ての偽券を、装置外へ排出するか又は専用の収納部へ収納した後、一時退避させていた紙幣を装置外へ投出させることにより、偽券を取り除くことができる。
【０１０５】
なお、偽券データベース３２ａのバージョンが古いとされた移送元の紙幣処理装置１０については、次に、この紙幣収納庫６０又は新しいバージョンの偽券データベース７２ａを有する他の紙幣収納庫６０が装着された際に、装置内の古い偽券データベース３２ａが、紙幣収納庫６０内の新しい偽券データベースによって上書きされて更新されることになる。
【０１０６】
また、紙幣収納庫６０に収納されている紙幣が処理されて、紙幣収納庫６０が空になった後、紙幣収納庫内データベース７２に登録されている収納紙幣データベース７２ｃについては、データを消去する態様であってもよいし、紙幣が取り出された日時等の情報を追加して、過去に収納されていた紙幣に係る情報として、明示の消去指示がなされるまで又は所定期間が経過するまでデータを消去せずに維持する態様であっても構わない。
【０１０７】
本実施形態では、２台の紙幣処理装置１０（１０ａ、１０ｂ）の間で１つの紙幣収納庫６０を利用して紙幣を移送する例を示したが、本実施形態がこれに限定されるものではない。紙幣収納庫６０の収納庫内データベース７２では、ログデータベース７２ｂを、紙幣収納庫６０を装着して利用する紙幣処理装置１０毎に区別して管理することができる。また、収納紙幣データベース７２ｃでは、各取引毎に、取引情報及びこの取引に含まれる紙幣の情報を区別して管理することができる。よって、３台以上の紙幣処理装置１０の間で、複数の紙幣収納庫６０を利用して紙幣を移送する場合でも、各紙幣処理装置１０で、上述した各処理を実現することができる。
【０１０８】
また、移送元の紙幣処理装置１０で紙幣を収納した紙幣収納庫６０を、そのまま移送先の紙幣処理装置１０に装着する態様を示したが、本実施形態がこれに限定されるものではなく、移送元及び移送先の両方の紙幣処理装置１０で、紙幣が収納されていない空の紙幣収納庫６０を装着する態様であっても構わない。例えば、移送元の紙幣処理装置１０に空の紙幣収納庫６０を装着して紙幣を回収した後、移送先の拠点で、空にした紙幣収納庫６０を紙幣処理装置１０に装着して利用する場合がある。この場合、紙幣処理装置１０に装着した際に、紙幣収納庫６０内に紙幣が収納されている際に行われる処理は行われず、データベースのバージョン比較やデータベースの更新等の処理のみが行われる。
【０１０９】
また、紙幣処理装置１０の偽券データベース３２ａを更新する処理について、この処理が自動的に実行される態様であってもよいし、更新処理を実行するか否かを尋ねる確認画面を操作表示部２０に表示して、オペレータによる明示の指示操作を受けてから、更新処理を実行するようにしても構わない。
【０１１０】
また、各報知処理について、紙幣処理装置１０の操作表示部２０を利用する態様を示したが、本実施形態がこれに限定されるものではない。上述したように、紙幣処理装置１０を操作端末に接続して利用する場合には、操作端末上で報知処理が実行される。また、紙幣収納庫６０が音や光を発する機能部を備えて、この機能部により音や光を発することにより報知を行う態様であっても構わない。
【０１１１】
上述してきたように、本実施形態に係る紙幣収納庫６０、並びに該紙幣収納庫６０及び紙幣処理装置１０を含む紙幣処理システムによれば、紙幣収納庫６０内に偽券データベース３２ａを保存することができる。紙幣処理装置１０で紙幣処理を開始する前に、紙幣収納庫６０内の偽券データベース３２ａのバージョンと、紙幣処理装置１０内で利用されている偽券データベース７２ａのバージョンとを比較して、装置内の偽券データベース７２ａのバージョンが古い場合には、これを新しいバージョンに更新してから紙幣処理を開始して、偽券を検出することができる。
【０１１２】
また、紙幣収納庫６０内には、紙幣収納庫６０に収納されている紙幣が処理された際に、偽券の検出に利用した偽券データベースのバージョンを示す情報が保存されている。この情報により、偽券データベースが古いために紙幣収納庫６０内に偽券が含まれている可能性がある場合には、これを認識して報知することができる。
【０１１３】
また、紙幣収納庫６０内の収納紙幣データベース７２ｃには、紙幣収納庫６０に収納されている全ての紙幣の記番号が記録されている。これにより、紙幣収納庫６０内に紙幣を収納する際に偽券検出に利用した偽券データベースが古いバージョンであった場合でも、紙幣を再識別することなく、紙幣収納庫６０内に収納されている紙幣の記番号と、新しいバージョンの偽券データベースに登録されている記番号とを比較することにより、紙幣収納庫６０内に偽券が含まれているか否かを容易に判定することができる。
【産業上の利用可能性】
【０１１４】
以上のように、本発明に係る紙幣収納庫及び紙幣処理システムは、複数の紙幣処理装置の間で紙幣収納庫を利用して紙幣を移送する際に、紙幣収納庫に収納される紙幣を厳正かつ容易に管理するために有用である。
【符号の説明】
【０１１５】
１０、１０ａ〜１０ｃ  紙幣処理装置
２０  操作表示部
３０  装置内記憶部
４０  紙幣処理部
４１  紙幣識別部
５０  装置内制御部
６０  紙幣収納庫
７０  収納庫内記憶部
８０  紙幣収納部
９０  収納庫内制御部
１００  専用ケーブル
１１０  管理装置
１２０  操作表示部
１３０  管理装置内記憶部
１５０  管理装置内制御部
【図１】
2016151845.tif 000003
【図２】
2016151845.tif 000004
【図３】
2016151845.tif 000005
【図４】
2016151845.tif 000006
【図５】
2016151845.tif 000007
【図６】
2016151845.tif 000008
【図７】
2016151845.tif 000009
【図８】
2016151845.tif 000010
【図９】
2016151845.tif 000011